(57)【要約】【課題】筐体に設置する設置部材に伝わる振動を減衰させるとともに、筐体や設置部材を傷付けることなく容易に取り外すことができる取付構造を提供することを目的とする。【解決手段】筐体４の一面に開口部５を設け、開口部５から筐体４内部に向かう内壁を有し筐体４内の他の部分と隔離された隔離部６を設けるとともに、筐体４内に設置する設置部材７を収納する収納箱８を設け、収納箱８の周囲に、空気を注入して収納箱８と隔離部６内壁との隙間を埋める空気袋１６を設けた。【選択図】    図１
2004320362.tif 000002
【特許請求の範囲】
【請求項１】
筐体の一面に開口部を設け、前記開口部から筐体内部に向かう内壁を有し前記筐体内の他の部分と隔離された隔離部を設けるとともに、前記筐体に設置する設置部材を収納する収納箱を設け、前記収納箱の周囲に、空気を注入して前記収納箱と前記隔離部内壁との隙間を埋める空気袋を設けたことを特徴とする取付構造。
【請求項２】
前記隔離部の内壁は、筐体の内部に向かって広がるテーパ状に形成されていることを特徴とする請求項１に記載の取付構造。
【発明の詳細な説明】
【０００１】
【発明の属する技術分野】
本発明は、取付構造に関する。
【０００２】
【従来の技術】
筐体に設置する設置部材を、筐体に取り付ける取付構造には、各種の取付構造がある。この取付構造をスピーカシステムに適用したものとして、例えば、図３に示すように、筐体としてのエンクロージャー２０内に、設置部材としてのネットワーク回路２１の基板２２を、ネジ２３を用いて固定する取付構造が知られている。また、従来の取付構造では、ネジ２３の他にホットメルトを併用したり、あるいは、ネジ２３に代えてホットメルトを用いてエンクロージャー２０内に基板２２を固定することも行われている。
【０００３】
ところが、この従来の取付構造では、エンクロージャー２０に収納されるスピーカユニット２４の背圧による空気振動やエンクロージャー２０自体の振動がネットワーク回路２１に伝わってしまい、振動音が発生して音質の低下が生じたり、ネットワーク回路２１を構成する電気素子のリード線が破断されるおそれがあった。
【０００４】
そこで、ネットワーク回路に振動が伝わるのを防止したスピーカシステムとしては、ネットワーク回路をエンクロージャーとは別の筐体に収納し、エンクロージャーの外部に設置したスピーカシステムが知られている（例えば、特許文献１）。
【０００５】
また、エンクロージャー内部と隔離してネットワーク回路を収納する収納部を設けたスピーカシステムも知られている（例えば、特許文献２）。
【０００６】
【特許文献１】
特開平８−３４０５９１号公報
【特許文献２】
特開平７−３０９８７号公報
【０００７】
【発明が解決しようとする課題】
しかし、従来のネットワーク回路をエンクロージャーとは別の筐体に収納し、エンクロージャーの外部に設置したスピーカシステム（特許文献１）では、２つの筐体を有することになるため、取扱いや設置場所について制約を受けるという問題があった。
【０００８】
また、エンクロージャー内部と隔離してネットワーク回路を収納する収納部を設けたスピーカシステム（特許文献２）では、収納部にネットワーク回路基板を取り付けるには、ネジやホットメルトを用いるため、取り外す際にエンクロージャーやネットワーク回路基板を傷付けたり、取り外すのに手間がかかるという問題があった。
【０００９】
そこで、本発明は、筐体に設置する設置部材に伝わる振動を減衰させるとともに、筐体や設置部材を傷付けることなく容易に取り外すことができる取付構造を提供することを目的とする。
【００１０】
【課題を解決するための手段】
上記課題を解決するために本発明による取付構造は、筐体の一面に開口部を設け、前記開口部から筐体内部に向かう内壁を有し前記筐体内の他の部分と隔離された隔離部を設けるとともに、前記筐体に設置する設置部材を収納する収納箱を設け、前記収納箱の周囲に、空気を注入して前記収納箱と前記隔離部内壁との隙間を埋める空気袋を設けたことを特徴とする。
【００１１】
請求項２に記載の発明は、請求項１に記載の取付構造において、前記隔離部の内壁は、筐体の内部に向かって広がるテーパ状に形成されていることを特徴とする。
【００１２】
【発明の実施の形態】
以下、本発明の実施形態について、図１及び図２を参照して説明する。
【００１３】
図１及び図２は、本発明に係る取付構造を適用したスピーカシステム１を示すものであり、このスピーカシステム１は、スピーカユニット２，３を収納する筐体としての箱型のエンクロージャー４を有している。このエンクロージャー４は、前面板１８と背面板１９とを有しており、前面板１８には、低周波の音を発生させる低音用スピーカユニット２及び高周波の音を発生させる高音用スピーカユニット３が、上下２段にわたってそれぞれ取り付けられている。
【００１４】
背面板１９の下方には、方形の開口部５が形成されており、エンクロージャー４の内部には、エンクロージャー４内の他の部分と隔離され、開口部５から連なる内側面と開口部５に対向する端面とからなる箱状の隔離部６が設けられている。そして、開口部５と対向する端面の面積は、開口部の面積よりも広く形成されており、内側面はエンクロージャー４の内部方向へ向けて広がるテーパ状に形成されている。
【００１５】
隔離部６内には、収納箱８が設置されており、この収納箱８の内部には、アンプ（図示しない）から送られてくる信号を各スピーカユニット２，３に対応する周波数帯域に振り分ける設置部材としてのネットワーク回路７が収納されている。また、収納箱８の一面には、アンプからのケーブル９をネットワーク回路７に接続する入力端子１０が設けられている。
【００１６】
また、隔離部６の開口部５と対向する面には、各スピーカユニット２，３からのケーブル１１が接続される端子１２が設けられている。そして、収納箱８の入力端子１０の配設面と対向する面には、端子１２に電気的に接触して固着される接続部１５が設けられており、この接続部１５には、ネットワーク回路７から引き出され、各周波数帯域に振り分けられた信号を各スピーカユニット２，３に対して出力するケーブル１３が接続されている。
【００１７】
収納箱８の入力端子１０の配設面以外の外面には、大気圧より高い圧力の空気を注入して膨張させることにより、収納箱８を隔離部６内に設置する際に、収納箱８と隔離部６の内壁との隙間を埋める空気袋１６が、接続部１５を避けて設けられている。空気袋１６の収納箱８の入力端子１０の配設面下方近傍には、空気袋１６内に連通され空気袋１６に空気を注入したり、あるいは空気袋１６から空気を排気する空気弁１７が設けられている。
【００１８】
次に、本実施形態に係るスピーカシステム１の作用について説明する。
【００１９】
収納箱８をエンクロージャー４に設置する際には、開口部５より隔離部６内に、収納箱８を接続部１５側から挿入し、接続部１５を端子１２に固着する。この状態で、空気弁１７より空気袋１６に空気が注入されると、空気袋１６が膨張することにより収納箱８と隔離部６内壁との隙間が埋められて、収納箱８が隔離部６内に固定される。なお、隔離部６の内壁は、開口部５からエンクロージャー４の内部方向へ向けて広がるテーパ状に形成されているため、収納箱８の抜け落ちが防止される。
【００２０】
そして、入力端子１０にアンプからのケーブル９を接続し、アンプから信号が、ケーブル９および入力端子１０を介して収納箱８内のネットワーク回路７入力されると、入力された信号は、ネットワーク回路７によりエンクロージャー４に収納された各スピーカユニット２，３に対応する周波数帯域に振り分けられる。そして、所定の周波数帯域に振り分けられた各信号は、接続部１５、端子１２およびケーブル１３，１１を介して各スピーカユニット２，３に対して出力され、この信号が各スピーカユニット２，３に入力されると、スピーカユニット２，３が振動して音が発生する。
【００２１】
このとき、各スピーカユニット２，３が振動することにより、エンクロージャー４自体及び隔離部６の壁面も振動しているが、収納箱８と隔離部６との間には、空気が注入された空気袋１６が介在しているため、振動は減衰されてネットワーク回路７には伝わりにくい。
【００２２】
なお、空気弁１７より空気袋１６内の空気を排気し、接続部１５を端子１２から取り外し、収納箱８を開口部５より取り出せば、収納箱８がエンクロージャー４から取り外される。
【００２３】
以上より、本実施形態に係るスピーカシステム１によれば、ネットワーク回路７はエンクロージャー４内の他の部分と隔離された隔離部６に設置される上、ネットワーク回路７を収納した収納箱８と隔離部６内壁との間には空気袋１６が介在するため、エンクロージャー４からネットワーク回路７に伝わる振動を減衰させることができ、その結果、振動音の発生による音質の低下や電気素子のリード線の破断を防止することができる。
【００２４】
また、収納箱８は、空気袋１６に空気を注入して空気袋１６を膨張させて隔離部６内壁との隙間を埋めることによりエンクロージャー４に固定されているため、空気袋１６の空気を排気すれば、エンクロージャー４やネットワーク回路７を傷付けることなく容易に取り外すことができる。
【００２５】
なお、本実施形態においては、本発明による取付構造をネットワーク回路７のエンクロージャー４への取付構造に適用したが、これに限るものではなく、例えば、ハードディスクドライブの制御用基板のハードディスクドライブへの取付構造に適用してもよい。
【００２６】
具体的には、ディスクを収納する筐体の側面端部に開口部を設け、この開口部から筐体内部へ向かう内壁を有し筐体内の他の部分と隔離された箱状の隔離部を設けるようにする。一方、制御用基板には、この制御基板を収納する収納箱を設け、この収納箱の一面を除いた外面に、収納箱を隔離部内に設置する際に、空気を注入して収納箱と隔離部内壁との隙間を埋める空気袋を設けるようにする。
【００２７】
これにより、隔離部内に収納箱を挿入して空気袋に空気を注入すれば、制御用基板が筐体に固定される上、ディスクが回転するときに生じて制御用基板に伝わる振動が低減される。
【００２８】
【発明の効果】
本発明によれば、設置部材は筐体内の他の部分と隔離された隔離部に設置される上、設置部材を収納した収納箱と筐体との間には空気袋が介在するため、筐体から設置部材に伝わる振動を減衰させることができる。
【００２９】
また、収納箱は、隔離部内壁との隙間を空気袋に空気を注入して膨張させて埋めることにより筐体に固定されているため、空気袋の空気を排気すれば、筐体や設置部材を傷付けることなく容易に取り外すことができる。
【図面の簡単な説明】
【図１】本発明を適用したスピーカシステムの一実施形態の構成を示す縦断面図である。
【図２】本実施形態におけるネットワーク回路のエンクロージャーへの取付構造を示す斜視図である。
【図３】従来のスピーカシステムにおけるネットワーク回路のエンクロージャーへの取付構造の一部を示す斜視図である。
【符号の説明】
１    スピーカシステム
４    エンクロージャー（筐体）
５    開口部
６    隔離部
７    ネットワーク回路（設置部材）
８    収納箱
１６  空気袋
【図１】
2004320362.tif 000003
【図２】
2004320362.tif 000004
【図３】
2004320362.tif 000005